(57)【要約】【課題】扁平にしたケース本体Ｃを組み上げるときに、上げ底を構成する支持片Ｓをスムーズに起立させるようにする。【解決手段】４つの壁面４〜７の各接続線を山折りにして、平面矩形の樹脂製のケース本体Ｃを形成した陳列用ケースを前提にする。そして、各壁面のうちの両端いずれか一方の壁面に連続して支持片Ｓを形成する。この支持片は、壁面の裏側に接着する接着部１４と、この接着部１４に連続する第１支持部１５と、この第１支持部１５および壁面５に連続する第２支持部１６とを備えている。しかも、ケース本体を矩形に組み上げたとき、接着部と第１支持部との間の第１接続線が谷折りになり、第１支持部と第２支持部との間の第２接続線が山折りになり、第２支持部と壁面との間の第３接続線が山折りになる構成にする一方、上記第１接続線は谷折りに適した押し罫としている。【選択図】  図１
2004290312.tif 000002
【特許請求の範囲】
【請求項１】
４つの壁面の各接続線を山折りにして、平面矩形の樹脂製のケース本体を形成した陳列用ケースにおいて、各壁面のうちの両端いずれか一方の壁面に連続して支持片を形成し、この支持片は、壁面の裏側に接着する接着部と、この接着部に連続する第１支持部と、この第１支持部および壁面に連続する第２支持部とを備え、ケース本体を矩形に組み上げたとき、接着部と第１支持部との間の第１接続線が谷折りになり、第１支持部と第２支持部との間の第２接続線が山折りになり、第２支持部と壁面との間の第３接続線が山折りになる構成にする一方、上記第１接続線は谷折りに適した押し罫とした陳列用ケース。
【請求項２】
４つの壁面の各接続線を山折りにして、平面矩形の樹脂製のケース本体を形成した陳列用ケースにおいて、各壁面のうちの両端いずれか一方の壁面に連続して支持片を形成し、この支持片は、壁面の裏側に接着する接着部と、この接着部に連続する第１支持部と、この第１支持部および壁面に連続する第２支持部とを備え、接着部と第１支持部との間の第１接続線は、接着部および第１支持部の他の部分よりも長さを短くするとともに、この第１接続線に折り罫を形成した陳列用ケース。
【請求項３】
ケース本体を矩形に組み上げたとき、接着部と第１支持部との間の第１接続線が谷折りになり、第１支持部と第２支持部との間の第２接続線が山折りになり、第２支持部と壁面との間の第３接続線が山折りになる構成にする一方、第１接続線に形成した折り罫を谷折りに適した押し罫とした請求項２記載の陳列用ケース。
【請求項４】
ケース本体を組み上げたときに対角となる一対のコーナーにおける折り罫は山折りに不適切な特性を保ち、このコーナーを構成する一の壁面に支持片の第２支持部を連続させるとともに、上記一対のコーナーを折り曲げてケース本体を扁平にしたとき、第２支持部と壁面との間の第３接続線に形成した折り罫が山折りになって、上記一対のコーナーとほぼ平行になる関係にした請求項１〜３のいずれかに記載した陳列用ケース。
【発明の詳細な説明】
【０００１】
【発明の属する技術分野】
この発明は、ディスプレイなどに陳列したとき、包装物が見やすいようにするために底上げをした陳列用ケースに関する。
【０００２】
【従来の技術】
例えば、ケース本体Ｃに商品を入れてそれを陳列棚１に陳列すると、最前列のケース本体Ｃは、図４に示すように、その下側が陳列棚１のストッパー２の部分に隠されてしまう。もし、ケース本体Ｃを透明にしてその中の商品をケース本体Ｃの外から見えるようにしてあれば、上記のストッパー２の分だけ商品が隠されてしまうことになる。このように商品の一部が陳列棚１のストッパー２で隠されると、消費者に商品全体のイメージを伝えにくくなるので、陳列による販促効果も損なわれてしまう。
【０００３】
そこで、図３に示すように、ケース本体Ｃに支持片１３を設けて底上げし、たとえストッパー２があっても商品がストッパーの上にでるようにして、陳列による販促効果が損なわれないようにしているが、以下には、従来のケース本体Ｃの構造を詳細に説明する。
【０００４】
このケースのケース本体Ｃは、図５の展開図からも明らかなように、正面を構成する壁面４と、背面を構成する壁面５と、側面を構成する壁面６，７とを備えるとともに、上記背面を構成する壁面５の外側には接着片８を設けている。
そして、上記した各壁面４〜７および接着片８の境界部分における接続線上には、折り罫９〜１２を形成しているが、この折り罫９〜１２は山折りに適した折り罫としている。そして、合成樹脂の場合には、そこに凹部を設けたとき、その凹部とは反対方向に折れ曲げやすくなるので、図６に示すように、山折りのときには、その折り曲げ方向とは反対方向に、凹部からなる折り罫９〜１２を形成する。
【０００５】
また、上記接着片８には支持片１３を連続させている。この支持片１３は、図５からも明らかなように、その先端に接着部１４を設けるとともに、この接着部１４の内側に第１支持部１５を形成し、この第１支持部１５には、接着片８に連接した第２支持部１６を設けている。そして、上記接着部１４と第１支持部１５との境界部分における第１接続線上、第１支持部１５と第２支持部１６との境界部分における第２接続線上、および第２支持部１６と接着片８との境界部分における第３接続線上のそれぞれには折り罫１７〜１９を設けるとともに、これら折り罫１７〜１９の長さを等しくしている。
【０００６】
そして、全ての折り罫９〜１２および１７〜１９は、次のようにして形成する。すなわち、ケース本体Ｃおよび支持片１３を図５に示す展開状態に保ち、その一方の側面から押し型を押し付けて一気に形成するもので、このように形成された折り罫９〜１２および１７〜１９の全ては、図６に示すように山折りに適した凹部からなる折り罫となる。したがって、ここで言う折り罫とは、押し型で形成した押し罫と同じことである。
【０００７】
上記のようにしてなるケース本体Ｃは、まず、上記展開状態において折り罫９，１１，１９だけを山折りにするとともに、その接着片８を壁面６に接着する。また、このときには支持片１３の接着部１４を、背面を構成する壁面５の裏側に接着しておく。
上記のように折り罫９，１１，１９だけを山折りにするとともに、その接着片８を壁面６に接着し、そのケース本体Ｃを、図８に示すように扁平な状態にしておく。
【０００８】
なお、図中符号２０，２１は、壁面５の両側に設けた蓋片で、その先端に差込片２２，２３を連続させている。また、２４，２５は壁面６，７に設けた一対の蓋片で、上記差込片２２，２３をケース本体Ｃに差し込んだとき、蓋片２０，２１の下側に位置させるものである。２６は壁面４に連続させた引掛け片で、この引掛け片２６に形成した掛け穴２７にディスプレイ用のロッドを引っ掛けるようにしている。
【０００９】
上記のようにした扁平なケース本体Ｃを組み立てるには、まず、両側の壁面６，７を、正面および背面を構成する壁面４，５に対して直角に起立させる。このように壁面６，７を起立させると、それにともなって、図９に示すように支持片１３の第１支持部１５が立ち上がるが、このとき接着部１４と第１支持部１５との境界部の折り罫１７が谷折りになり、第１，２支持部１５，１６の境界部の折り罫１８が山折りになる。このようにして第１支持部１５が完全に立ち上がると、図３に示すように第１，２支持部１５，１６が上げ底の役割を担うことになる。
【００１０】
【特許文献１】
特開平１１−３１４６３４号公報
【００１１】
【発明が解決しようとする課題】
上記のようにした従来の陳列用ケースでは、それを組み上げたときに、支持片１３が図１０に示すように起きあがらないと言う問題があったが、その理由は次のとおりである。
まず、ケース本体Ｃが、その上から重石を載せたごとく完全に扁平になっていると、折り罫１７，１８の部分がスムーズに折れ曲がらないで、その部分が突っ張ってしまう。このように折り罫１７，１８の部分が突っ張ってしまうと、支持片１３がスムーズに立ち上がらなくなる。
【００１２】
また、従来の陳列用ケースの場合には、その折り罫９〜１２および１７〜１９の全てが同じ方向から形成されることになる。特に、その方向は、図６に示すように、ケース本体Ｃのコーナーの部分が曲がりやすくなるように考慮されている。このようにケース本体Ｃのコーナーの部分を曲がりやすくすると言うのは、ケース本体Ｃを組み上げやすくすることを主に考えれば当然のことである。
【００１３】
ところが、コーナーの部分を曲がりやすくすれば、それを扁平にしたときの折り曲げ部分である折り罫９、１１，１９の部分に、ほとんど反発力が残らないことになる。扁平にしたときに折り罫９，１１，１９の部分に反発力が残らなければ、ケース本体Ｃは、それこそ上から重石を載せたごとく完全に扁平になってしまう。このようにケース本体Ｃが完全に扁平になってしまうと、折り罫１７，１８の部分がスムーズに折れ曲がらないで突っ張りやすくなる。折り罫１７，１８の部分が突っ張れば、支持片１３がスムーズに立ち上がりにくくなる。
【００１４】
さらに、支持片１３が立ち上がりにくい別の原因は、接着部１４と第１支持部１５との境界に設けた折り罫１７が、その折り曲げ方向に対して曲がりにくい方向から形成されていると言うことである。言い換えると、ケース本体Ｃを組み上げるときに、上記折り罫１７だけが谷折りになるが、その折り罫１７は谷折りに適したものになっていないと言うことである。
つまり、折り罫は、ケース本体Ｃの展開状態において、その一方の側面から押し型を押し当てていっぺんに形成することがもっとも合理的であるが、このとき、折り罫はケース本体Ｃを組み上げることを最優先に考えられているので、ケース本体Ｃのコーナー部分が曲がりやすくなるようにする。
【００１５】
ケース本体Ｃのコーナー部分を曲がりやすくしながら、全ての折り罫をいっぺんに形成すれば、それらの全ての折り罫は図７に示すように同じ方向から形成されることになる。このように全て同じ方向から形成された折り罫は、その部分を山折りに適したものになるとともに、上記した折り罫１７以外は全て山折りにしてケース本体Ｃを組み上げることができる。しかしながら、折り罫１７の部分だけは、谷折りになるので、この部分が折れ曲がりにくくなってしまう。そのために、支持片１３を立ち上げるときに、この折り罫１７の部分が曲がらずに突っ張ってしまい、支持片１３がスムーズに立ち上がらないと言うことになる。
【００１６】
一方、支持片１３を立ち上げるためには、第１支持部１５がスムーズに立ち上がることが重要なことになる。しかし、従来の陳列用ケースは、各折り罫１７〜１９の全てが同じ幅で形成されていて、第１支持部１５をよりスムーズに立ち上げるための考慮が一切されていない。そのために、支持片１３がうまく立ち上がらなくなると言う問題が発生する。
【００１７】
なお、このケース本体Ｃに商品を詰める作業は、ほとんど自動化されているが、ケース本体Ｃはそれを扁平な状態にして自動化ラインに供給される。そして、その自動化ラインで自動的に組み上げられながら、ケース本体に目的の商品が詰め込まれる。このように、ケース本体を自動的に組み上げるときに、支持片１３がきっちりと立ち上がっていないと、それは不良と評価されるが、従来の陳列用ケースだと、その不良率がかなり高いものになっていた。
この発明の目的は、ケース本体の組み上げ時に支持片がスムーズに立ち上がるようにした陳列用ケースを提供することである。
【００１８】
【課題を解決するための手段】
第１の発明は、４つの壁面の各接続線を山折りにして、平面矩形の樹脂製のケース本体を形成した陳列用ケースを前提にしつつ、各壁面のうちの両端いずれか一方の壁面に連続して支持片を形成している。そして、この支持片は、壁面の裏側に接着する接着部と、この接着部に連続する第１支持部と、この第１支持部および壁面に連続する第２支持部とを備えている。さらに、ケース本体を矩形に組み上げたとき、接着部と第１支持部との間の第１接続線が谷折りになり、第１支持部と第２支持部との間の第２接続線が山折りになり、第２支持部と壁面との間の第３接続線が山折りになる構成にする一方、上記第１接続線は谷折りに適した押し罫としたものである。
なお、この発明において、押し罫とは、接続線の一方の側から押圧力を作用させて形成したものである。
【００１９】
第２の発明は、４つの壁面の各接続線を山折りにして、平面矩形の樹脂製のケース本体を形成した陳列用ケースを前提にしつつ、各壁面のうちの両端いずれか一方の壁面に連続して支持片を形成している。そして、この支持片は、壁面の裏側に接着する接着部と、この接着部に連続する第１支持部と、この第１支持部および壁面に連続する第２支持部とを備えている。さらに、接着部と第１支持部との間の第１接続線は、接着部および第１支持部の他の部分よりも長さを短くするとともに、この第１接続線に折り罫を形成したものである。
【００２０】
上記折り罫とは、第１の発明の押し罫も含む概念である。すなわち、押し罫は、上記したように接続線の一方の側から押圧力を作用させて形成したものであるが、折り罫は、折ることを目的にした罫であればどのようなものでもよい。例えば、刃物による切り目でもよいし、あるいはミシン目のようなものでもかまわない。要するに接続線が折れ曲がるようにしたものであればよい。
【００２１】
第３の発明は、ケース本体を矩形に組み上げたとき、接着部と第１支持部との間の第１接続線が谷折りになり、第１支持部と第２支持部との間の第２接続線が山折りになり、第２支持部と壁面との間の第３接続線が山折りになる構成にする一方、第１接続線に形成した折り罫を谷折りに適した押し罫としたものである。
なお、この第３の発明において、第１接続線に形成した折り罫が、谷折りに適した押し罫であれば、その他の接続線はどのようなものでもよい。
【００２２】
第４の発明は、ケース本体を組み上げたときに対角となる一対のコーナーにおける折り罫は山折りに不適切な特性を保ち、このコーナーを構成する一の壁面に支持片の第２支持部を連続させるとともに、上記一対のコーナーを折り曲げてケース本体を扁平にしたとき、第２支持部と壁面との間の第３接続線に形成した折り罫が山折りになって、上記一対のコーナーとほぼ平行になる関係にしたものである。
【００２３】
【発明の実施の形態】
この実施形態におけるケース本体Ｃの構成要素のうち、従来と同様の構成要素が多く含まれているので、それら共通の構成要素については、その詳細な説明を省略するとともに、必要に応じてこの実施形態の説明においても、従来と同一符号をもって説明する。
そして、この実施形態での特徴は、ケース本体Ｃに形成する押し罫の方向と、支持片Ｓの構成とであるが、以下にそれを詳細に説明する。
【００２４】
まず、この実施形態の大きな特徴は、ケース本体Ｃに形成した押し罫の方向が従来と全く逆であると言うことである。すなわち、ケース本体Ｃの各壁面４〜７の境界部分に形成された接続線上には、図１に示すように、従来とはまったく反対に谷折りに適した押し罫２８〜３４を形成している。そして、ケース本体Ｃを組み上げるときに、ほとんどの接続線の部分が山折りになるが、上記のように全ての押し罫２８〜３４を谷折りに適した押し罫にすると言うことは、ケース本体Ｃを組み上げることを当然のように優先させる発想からは出てこないことである。
【００２５】
また、上記のように全ての押し罫２８〜３４を谷折りに適した押し罫にすると言うことは、支持片Ｓにおける接着部１４と第１支持部１５との境界における第１接続線上、第１支持部１５と第２支持部１６との境界における第２接続線上における押し罫３３、３４も、当然のこととして谷折りに適したものとなる。
【００２６】
さらに、上記支持片Ｓは、第１支持部１５と第２支持部１６との境界における第２接続線上の両側に切り込みを入れて、その第２接続線上の幅を、それら両支持部１５，１６の他の部分における幅よりも小さくしている。したがって、この第２接続線上においては、谷折りに適した押し罫３３が形成されているけれども、その幅が小さい分だけ山折りにしやすいことになる。
なお、接着部１４と第１支持部１５との境界における第１接続線上にも切り込みを入れて、その部分の押し罫３４の幅を、第１支持部１５の幅よりも小さくしている。要するに、第１，２接続線の両方あるいはいずれか一方の幅を小さくすればよいものである。
【００２７】
上記のようにしたケース本体Ｃを、例えば押し罫２８，３０，３２を山折りにして扁平にしたとしても、その押し罫２８，３０，３２が本来谷折りに適しているので、それら押し罫２８，３０，３２の部分では、折りに対する反発力が大きく残存する。このように折りに対する反発力が大きく残存するために、ケース本体Ｃは、重石を載せたように扁平にはならず、わずかにふくらんだ筒状を維持する。このようにケース本体Ｃを扁平にした状態においても、それが筒状にわずかにふくらんだ状態を維持するので、そのふくらみに沿って支持片Ｓもアーチ状を保つ。ただし、このときに接着部１４は壁面５の裏側にしっかり接着されているので、アーチ状になった支持片Ｓは、第１接続線上における押し罫３４を谷折り方向にわずかに曲げた癖が付けられた状態になる。
【００２８】
上記のような状態から、両側の壁面６，７を壁面４，５に対して直角に起立させれば、第１接続線上における押し罫３４がすでに谷折り方向に癖が付けられているので、その押し罫３４が簡単に谷折り状態になる。このように押し罫３４が谷折りになりさえすれば、第１支持部１５がスムーズに立ち上がる。第１支持部１５がスムーズに立ち上がりさえすれば、たとえ第２接続線上の押し罫３３が谷折りに適していても、それはスムーズに山折りにされる。しかも、前記したように第２接続線は、その両側に切り込みを入れて、その折り抵抗を小さくしているので、支持片Ｓの立ち上がりは、よりスムーズになる。実際に、この扁平にしたケース本体Ｃを自動化ラインに供給したとき、支持片Ｓが起立しないために発生する不良率はほとんどなかった。
【００２９】
なお、この実施形態では、全ての接続線上に押し罫を形成したが、ここで言う押し罫とは、各接続線の一方の側から押し型を押し当てて押圧力を作用させ、その部分に凹部を形成したものである。ただし、この実施形態では、ケース本体Ｃの少なくとも対角に位置する箇所で、しかも、それを扁平にするときに折り曲げる接続線だけを押し罫にすれば足りる。実施形態で言えば、押し罫２８，３０，３２以外は、必ずしも押し罫でなくてもよい。これら押し罫２８，３０，３２は、いかなる折り罫にしてもよい。例えば、接続線上を刃物による切り目を入れてもよいし、あるいはミシン目を入れるようにしてもよい。要するに各接続線が折れ曲がるようにしたものであればよい。
【００３０】
いずれにしても、この実施態様の場合に、ケース本体Ｃの各コーナー部分における押し罫２８〜３１は、それを山折りにするのに不適なものにしている。しかし、扁平にしたケース本体Ｃを組み上げるときには、上記コーナー部分の押し罫２８〜３１に機械的な力を積極的に作用させるのが通常なので、そのコーナー部分において山折りに適していなくても、それほど問題にはならない。これに対して支持片Ｓには、それを起立させる力は直接作用させられない。支持片Ｓは、壁面６，７が起立する力を利用して立ち上がらせるしかない。
【００３１】
上記のような条件の中で、ケース本体Ｃを扁平に保っているとき、上記したように押し罫２８，３０，３２部分の反発力でケース本体Ｃに多少のふくらみを持たせて、支持片Ｓをあらかじめアーチ状にするとともに、第１接続線上における押し罫３４に谷折り方向のわずかな折り癖が付けられるので、壁面６，７を起立させたとき、支持片Ｓの第１接続部１５がスムーズに立ち上がることになる。
しかも、この押し罫３４は谷折りに適した方向に凹部が形成されるので、さらにスムーズな立ち上がりが可能になる。
なお、上記実施形態では、支持片Ｓを接着片８に連続させたが、それを壁面５に直接連続させてもよい。つまり、上記接着片８は壁面６側に設けてもよいので、この場合には、上記支持片Ｓが壁面５に直接連続させることになる。
【００３２】
【発明の効果】
この発明によれば、例えば、扁平にしたケース本体を自動化ラインで矩形に組み上げたときも、支持片がスムーズに起立することになり、そのときの不良率はほとんどなくなる。
【図面の簡単な説明】
【図１】ケース本体を展開した状態の断面図である。
【図２】支持片の平面図である。
【図３】従来の陳列用ケースの斜視図である。
【図４】従来の陳列用ケースの陳列状態を示す斜視図である。
【図５】従来のケース本体の展開図である。
【図６】従来のケース本体のコーナー部分の断面図である。
【図７】従来のケース本体の展開状態における断面図である。
【図８】従来の陳列用ケースを扁平に折り畳んだ状態の平面図である。
【図９】従来の支持片の立ち上げ過程を示した部分斜視図である。
【図１０】従来の支持片がその起立時に突っ張った状態を示す斜視図である。
【符号の説明】
Ｃ                ケース本体
４，５            壁面
６，７            壁面
Ｓ                支持片
１４              接着部
１５              第１支持部
１６              第２支持部
２８，３０，３２  押し罫
【図１】
2004290312.tif 000003
【図２】
2004290312.tif 000004
【図３】
2004290312.tif 000005
【図４】
2004290312.tif 000006
【図５】
2004290312.tif 000007
【図６】
2004290312.tif 000008
【図７】
2004290312.tif 000009
【図８】
2004290312.tif 000010
【図９】
2004290312.tif 000011
【図１０】
2004290312.tif 000012